(57)【要約】【課題】部品点数を抑えて容易に組み立てることができ、かつ窓ガラスの落下を防止できるエレベータの窓ガラス付きドアパネルを提供する。【解決手段】エレベータの窓ガラス付きドアパネル10a,10bは窓穴15を有する本体パネル14と、本体パネル14の窓穴15に対応する位置に配置され、本体パネル14の裏面に接着された窓ガラス12と、一対の縦補強部材16a,16bとを備えている。縦補強部材16a,16bに、ガラス押さえ部材24ａ,24b,24cが一体に形成されている。【選択図】図３Ｂ
2020193063.tif 000002
【特許請求の範囲】
【請求項１】
窓穴を有する本体パネルと、
前記本体パネルの裏面に、前記窓穴に対応して配置され、前記本体パネルに接着剤を介して接着された窓ガラスと、
前記本体パネルの裏面に前記窓穴を狭んで設けられ、上下方向に延びる一対の縦補強部材とを備え、
各縦補強部材に、前記窓ガラスを前記本体パネルとの間で押さえるガラス押さえ部材を設けた、エレベータの窓ガラス付きドアパネル。
【請求項２】
前記ガラス押さえ部材は前記窓ガラスを下方から支持する下方ガラス押さえ部材と、前記下方ガラス押さえ部材の上方に位置し前記窓ガラスの転倒を防ぐ上方ガラス押さえ部材とを有する、請求項１記載のエレベータの窓ガラス付きドアパネル。
【請求項３】
前記上方ガラス押さえ部材は、前記本体パネルと前記上方ガラス押さえ部材との間に前記窓ガラスを前記上方ガラス押さえ部材の上方または下方から挿入可能な空間を形成する、請求項２記載のエレベータの窓ガラス付きドアパネル。
【請求項４】
前記上方ガラス押さえ部材は下方へ延びる第１突起を有し、前記下方ガラス押さえ部材は上方へ延びる第２突起を有し、第１突起の上下方向の長さは第２突起の上下方向の長さより長く、前記上方ガラス押さえ部材は前記本体パネルと前記上方ガラス押さえ部材との間に、前記窓ガラスを前記上方ガラス押さえ部材の下方から挿入可能な空間を形成する、請求項３記載のエレベータの窓ガラス付きドアパネル。
【請求項５】
前記ガラス押さえ部材の押さえ片は前記縦補強部材に弾性的に取り付けられ、外方から力を加えることにより縦補強部材側へ引っ込む、請求項１乃至３のいずれか記載のエレベータの窓ガラス付きドアパネル。
【請求項６】
請求項３記載のエレベータの窓ガラス付きドアパネルの組み立て方法において、
前記接着剤が設けられた前記窓ガラスを準備する工程と、
前記窓ガラスを前記上方ガラス押さえ部材の上方または下方から、前記本体パネルと前記上方ガラス押さえ部材との間に挿入する工程と、
前記窓ガラスを前記下方ガラス押さえ部材に当接させて、前記下方ガラス押さえ部材により支持する工程と、
前記窓ガラスを前記本体パネルに前記接着剤を介して接着する工程と、を備えた、エレベータの窓ガラス付きドアパネルの組み立て方法。
【発明の詳細な説明】
【技術分野】
【０００１】
本開示の実施の形態は、エレベータの乗場ドア又はかごドアに用いられる窓ガラス付きドアパネルおよびその組み立て方法に関する。
【背景技術】
【０００２】
近年、エレベータでは、乗場ドア並びにかごドアに窓ガラス付きのドアパネルを採用したものが普及している。この種の窓ガラス付きのドアパネルでは、かごの中から外が見えるために開放感があり、また、外部からかご内部の様子がわかるので、防犯上の効果も得られる。
【０００３】
窓ガラス付きのドアパネルは、本体パネルに窓穴を設けるとともに、この窓穴に窓ガラスを、窓ガラスの固定部材を介して取り付ける必要があることから、窓の無い従来のドアパネルに比べると、部品点数も増え、組立工程も複雑になる。
【０００４】
このようなことから、窓ガラス付きのドアパネルを効率良く組み立てられるように、従来から様々な改良が行われている。例えば、ドアパネルに窓ガラスを、接着剤を用いて固定する方法が考えられている。
【０００５】
このようにドアパネルに接着剤を用いて窓ガラスを接着する場合、窓ガラスを設けるためにボルト締結をする必要がなくなるため、ボルト等の部品点数を削減することができ、かつ組み立て工数の削減を図ることができる。また部品点数の削減および組み立て工数の削減に伴って、エレベータの組み立て作業を行う製造ラインにおいて自動化を図ることも可能となる。例えば、ドアパネルに窓穴を設け、ドアパネルの裏面のうち窓穴に対応する位置に接着剤を用いて窓ガラスを設けたエレベータが開発されている。このようなエレベータのドアパネルは、表側から乗客が観察するような構造を持つため、ドアパネルの裏面についてはその意匠性は問われない。このため、窓ガラスはドアパネルの裏面のうち窓穴に対応する位置にドアパネルから突出するように配置されている。
【先行技術文献】
【特許文献】
【０００６】
【特許文献１】国際公開ＷＯ  ０４／０４１７０５号公報
【発明の概要】
【発明が解決しようとする課題】
【０００７】
しかしながら、窓ガラスを接着剤のみでドアパネルの裏面側にドアパネルから突出するように固定した場合、接着剤の剥離により窓ガラスがドアパネルから落下してしまうことも考えられる。
【０００８】
本開示はこのような点を考慮してなされたものであり、部品点数を抑え、かつ容易に組み立てることができ、さらに窓ガラスの落下を防止することができるエレベータの窓ガラス付きドアパネルおよびその組み立て方法を提供することを目的とする。
【課題を解決するための手段】
【０００９】
本開示によるエレベータの窓ガラス付きドアパネルは、窓穴を有する本体パネルと、前記本体パネルの裏面に、前記窓穴に対応して配置され、前記本体パネルに接着剤を介して接着された窓ガラスと、前記本体パネルの裏面に前記窓穴を狭んで設けられ、上下方向に延びる一対の縦補強部材とを備えている。また、各縦補強部材に、前記窓ガラスを前記本体パネルとの間で押さえるガラス押さえ部材が設けられている。
【図面の簡単な説明】
【００１０】
【図１Ａ】図１Ａは第１の実施の形態による窓ガラス付きドアパネルの背面図。
【図１Ｂ】図１Ｂは第１の実施の形態による窓ガラス付きドアパネルの側断面図。
【図２】図２は第１の実施の形態による窓ガラス付きドアパネルが設置されるエレベータ乗場を示す斜視図。
【図３Ａ】図３Ａは第１の実施の形態による窓ガラス付きドアパネルのガラス押さえ部材を示す背面図。
【図３Ｂ】図３Ｂは第１の実施の形態による窓ガラス付きドアパネルのガラス押さえ部材を示す側断面図。
【図３Ｃ】図３Ｃは第１の実施の形態によるエレベータの窓ガラス付きドアパネルのガラス押さえ部材を示す斜視図。
【図４Ａ】図４Ａは第１の実施の形態によるエレベータの窓ガラス付きドアパネルの組み立て工程を示す図。
【図４Ｂ】図４Ｂは第１の実施の形態によるエレベータの窓ガラス付きドアパネルの組み立て工程を示す図。
【図４Ｃ】図４Ｃは第１の実施の形態によるエレベータの窓ガラス付きドアパネルの組み立て工程を示す図。
【図４Ｄ】図４Ｄは第１の実施の形態によるエレベータの窓ガラス付きドアパネルの組み立て工程を示す図。
【図５Ａ】図５Ａは第２の実施の形態によるエレベータの窓ガラス付きドアパネルを示す背面図。
【図５Ｂ】図５Ｂは第２の実施の形態によるエレベータの窓ガラス付きドアパネルを示す部分拡大図。
【図６Ａ】図６Ａは第２の実施の形態によるエレベータの窓ガラス付きドアパネルの組み立て工程を示す図。
【図６Ｂ】図６Ｂは第２の実施の形態によるエレベータの窓ガラス付きドアパネルの組み立て工程を示す図。
【図６Ｃ】図６Ｃは第２の実施の形態によるエレベータの窓ガラス付きドアパネルの組み立て工程を示す図。
【図６Ｄ】図６Ｄは第２の実施の形態によるエレベータの窓ガラス付きドアパネルの組み立て工程を示す図。
【図７】図７は第３の実施の形態によるエレベータの窓ガラス付きドアパネルを示す部分拡大図。
【図８Ａ】図８Ａは第４の実施の形態によるエレベータの窓ガラス付きドアパネルを示す斜視図。
【図８Ｂ】図８Ｂは第４の実施の形態によるエレベータの窓ガラス付きドアパネルのガラス押さえ部材を示す部分拡大図。
【図９】図９は第５の実施の形態によるエレベータの窓ガラス付きドアパネルのガラス押さえ部材を示す部分拡大図。
【発明を実施するための形態】
【００１１】
＜第１の実施の形態＞
以下、エレベータの窓ガラス付きドアパネルおよびその組み立て方法の第１の実施の形態について、図１Ａ乃至図４Ｄを参照しながら説明する。
【００１２】
まず図１Ａ乃至図２により窓ガラス付きドアパネルが適用されたエレベータ乗場、および窓ガラス付きドアパネルの概要について説明する。
【００１３】
本明細書中、「上方」あるいは「下方」とは、エレベータの窓ガラス付きドアパネルをエレベータの乗り場等に通常の意味で設置した場合における、「上方」あるいは「下方」を意味する。
【００１４】
図２において、エレベータの乗場7には、両開き構造の乗場ドアとしてドアパネル10a,10bが設置されている。このドアパネル10a,10bには、透明なガラスからなる窓ガラス12が設けられている。参照番号8は、乗場呼び装置を示し、9は乗場呼びボタンである。
【００１５】
また図１Ａ、図１Ｂおよび図２において、参照番号12は、窓ガラス付きドアパネル10a,10bで用いられる透明な窓ガラスを示している。また参照番号14は、窓ガラス付きドアパネル10a,10bの本体を構成する本体パネルを示している。
【００１６】
すなわち本実施の形態において、窓ガラス付きドアパネル10a,10bは、窓穴15を有する本体パネル14と、本体パネル14の裏面に窓穴15に対応して配置され、本体パネル14に接着剤25を介して接着された窓ガラス12と、本体パネル14の裏面に窓穴15を狭んで設けられ上下方向に延びるとともに鋼材からなる一対の縦補強部材16a,16bとを備えている。このうち一対の縦補強部材16a,16bは横断面コ字形の鋼製型材からなり、本体パネル14の裏面に接着剤25を介して固定されている。このようなエレベータのドアパネル10a,10bは、表側から乗客が観察するような構造を持つため、ドアパネル10a,10bの裏面についてはその意匠性は問われない。このため、窓ガラス12はドアパネル10a,10bの裏面のうち窓穴15に対応する位置にドアパネル10a,10bから突出するように配置されている。
【００１７】
また図３Ａ乃至図３Ｃに示すように、各縦補強部材16a,16bに、窓ガラス12を本体パネル14との間で押さえるガラス押さえ部材24が設けられている。この場合、ガラス押さえ部材24は、第１上方ガラス押さえ部材24aおよび第２上方ガラス押さえ部材24bとからなる上方ガラス押さえ部材24a,24bと、下方ガラス押さえ部材24cとを有する。
【００１８】
上方ガラス押さえ部材24a,24bおよび下方ガラス押さえ部材24cは、いずれも縦補強部材16a,16bを絞り加工することにより縦補強部材16a,16bと一体に形成されている。
【００１９】
また上方ガラス押さえ部材24a,24bは窓ガラス12が接着剤25の剥離により落下する際、主としてその転倒を防止するものである。また下方ガラス押さえ部材24cは、窓ガラス12の下端を支持して窓ガラスの落下を防止するものである。また本体パネル14と上方ガラス押さえ部材24a,24bとの間に空間14Aが形成されている。そして窓ガラス12を第１上方ガラス押さえ部材24aと第２上方ガラス押さえ部材24bとの間から、すなわち第１上方ガラス押さえ部材24aの下方と第２上方ガラス押さえ部材24bの上方の間から本体パネル14と第１上方ガラス押さえ部材24aおよび第２上方ガラス押さえ部材24bとの間の空間14A内に挿入することが可能となっている。
【００２０】
次にこのような構成からなるエレベータの窓ガラス付きドアパネル10a,10bの組み立て方法について図４Ａ乃至図４Ｄにより述べる。
【００２１】
まず図４Ａに示すように、予め接着剤25が塗布された窓ガラス12を準備する。次に接着剤25が塗布された窓ガラス12を第１上方ガラス押さえ部材24aと第２上方ガラス押さえ部材24bとの間から本体パネル14と第１上方ガラス押さえ部材24aおよび第２上方ガラス押さえ部材24bとの間の空間14A内に挿入する（図４Ｂ参照）。
【００２２】
その後、本体パネル14と第１上方ガラス押さえ部材24aおよび第２上方ガラス押さえ部材24bとの間の空間14A内で、窓ガラス12を降下させ、窓ガラス12を下方ガラス押さえ部材24c上に載せ、窓ガラス12を下方ガラス押さえ部材24cにより支持する。このようにして空間14A内において窓ガラス12の上下方向の位置決めを行い、さらに空間14A内において窓ガラス12の左右方向位置を調整する。
【００２３】
このとき、窓ガラス12は本体パネル14の裏面において、窓穴15に対応する位置に配置される。その後、窓ガラス12を本体パネル14の裏面に接着剤25を介して接着する。このようにして本体パネル14と、本体パネル14の裏面に接着された窓ガラス12と、窓ガラス12を本体パネル14との間で押さえる上方ガラス押さえ部材24a,24bおよび下方ガラス押さえ部材24cとを有する窓ガラス付きドアパネル10a,10bを組み立てることができる。
【００２４】
以上のように本実施の形態によれば、本体パネル14の裏面に接着剤25を介して窓ガラス12を接着することができるため、本体パネル14の裏面に窓ガラス12を設けるためにボルト・ナット等を用いる必要がなく、組み立ての際の部品点数を削減することができる。
【００２５】
また本体パネル14の裏面上において、窓ガラス12を本体パネル14と、上方ガラス押さえ部材24a,24bおよび下方ガラス押さえ部材24cとの間で押さえることができる。このため接着剤25が剥離しても、本体パネル14の裏面から窓ガラス12が落下することはなく、安全な窓ガラス付きドアパネル10a,10bを得ることができる。
【００２６】
さらにまた、上方ガラス押さえ部材24a,24bと、下方ガラス押さえ部材24cは、縦補強部材16a,16bを絞り加工することにより、この縦補強部材16a,16bと一体に形成されている。このため上方ガラス押さえ部材24a,24bと下方ガラス押さえ部材24cを縦補強部材16a,16bと別体に設ける場合に比べて、上方ガラス押さえ部材24a,24bと下方ガラス押さえ部材24cを簡単に作製することができる。
【００２７】
＜第２の実施の形態＞
次に図５Ａ乃至図６Ｄを参照して、エレベータの窓ガラス付きドアパネルおよびその組み立て方法の第２の実施の形態について説明する。
【００２８】
図５Ａおよび図５Ｂに示すように、窓ガラス付きドアパネル10a,10bは、窓穴15を有する本体パネル14（図６Ａ乃至図６Ｄ参照）と、本体パネル14の裏面に窓穴15に対応して配置され、本体パネル14に接着剤25を介して接着された窓ガラス12と、本体パネル14の裏面に窓穴15を狭んで設けられ上下方向に延びるとともに鋼材からなる一対の縦補強部材16a,16bとを備えている。このうち一対の縦補強部材16a,16bは横断面コ字形の鋼製型材からなり、本体パネル14の裏面に接着剤25を介して固定されている。
【００２９】
また各縦補強部材16a,16bに、窓ガラス12を本体パネル14との間で押さえるガラス押さえ部材24が設けられている。この場合、ガラス押さえ部材24は、上方ガラス押さえ部材24dと、下方ガラス押さえ部材24eとを有する。
【００３０】
上方ガラス押さえ部材24dおよび下方ガラス押さえ部材24eは、いずれも縦補強部材16a,16bを切り起こすことにより縦補強部材16a,16bと一体に形成されている。
【００３１】
また上方ガラス押さえ部材24dは窓ガラス12が接着剤25の剥離により落下する際、主としてその転倒を防止するものである。また下方ガラス押さえ部材24eは、窓ガラス12の下端を支持して窓ガラスの落下を防止するものである。また本体パネル14と上方ガラス押さえ部材24dおよび下方ガラス押さえ部材24eとの間に空間14Aが形成されている。そして窓ガラス12を上方ガラス押さえ部材24dと下方ガラス押さえ部材24eとの間から、本体パネル14と上方ガラス押さえ部材24dおよび下方ガラス押さえ部材24eとの間の空間14A内に挿入することが可能となっている。
【００３２】
次に上方ガラス押さえ部材24dおよび下方ガラス押さえ部材24eについて更に述べる。上述のように上方ガラス押さえ部材24dと下方ガラス押さえ部材24eは、いずれも縦補強部材16a,16bを切り起こして、縦補強部材16a,16bと一体に形成された押さえ片24Aからなる。上方ガラス押さえ部材24dは下方に延びる第１突起26dを有し、上方ガラス押さえ部材24dはこの第１突起26dにより窓ガラス12の転倒を防止することができる。また下方ガラス押さえ部材24eは上方へ延びる第２突起26eを有する。下方ガラス押さえ部材24eは、窓ガラス12の下端に当接してこの窓ガラス12を支持して窓ガラスの落下を防止するとともに、第２突起26eにより窓ガラス12の転倒を防止することができる。
【００３３】
また上方ガラス押さえ部材24dの第１突起26dの上下方向の長さｌ１は、下方ガラス押さえ部材24eの第２突起26eの上下方向の長さｌ２より長くなっており、このため上方ガラス押さえ部材24dの第１突起26dにより窓ガラス12の転倒を効果的に防ぐことができる。
【００３４】
次にこのような構成からなるエレベータの窓ガラス付きドアパネル10a,10bの組み立て方法について図６Ａ乃至図６Ｄにより述べる。
【００３５】
まず図６Ａに示すように、予め接着剤25が塗布された窓ガラス12を準備する。次に接着剤25が塗布された窓ガラス12を上方ガラス押さえ部材24dと下方ガラス押さえ部材24eとの間から本体パネル14と上方ガラス押さえ部材24dおよび下方ガラス押さえ部材24eとの間の空間14A内に挿入する（図６Ｂ参照）。
【００３６】
その後、本体パネル14と上方ガラス押さえ部材24dおよび下方ガラス押さえ部材24eとの間の空間14A内で、窓ガラス12を降下させ、窓ガラス12を下方ガラス押さえ部材24e上に載せ、窓ガラス12を下方ガラス押さえ部材24eにより支持する。このようにして空間14A内において窓ガラス12の上下方向の位置決めを行い、さらに空間14A内において窓ガラス12の左右方向位置を調整する。
【００３７】
このとき、窓ガラス12は本体パネル14の裏面において、窓穴15に対応する位置に配置される。その後窓ガラス12を本体パネル14の裏面に接着剤25を介して接着する。このようにして本体パネル14と、本体パネル14の裏面に接着された窓ガラス12と、窓ガラス12を本体パネル14との間で押さえる上方ガラス押さえ部材24dおよび下方ガラス押さえ部材24eとを有する窓ガラス付きドアパネル10a,10bを組み立てることができる。
【００３８】
以上のように本実施の形態によれば、本体パネル14の裏面に接着剤25を介して窓ガラス12を接着することができるため、本体パネル14の裏面に窓ガラス12を設けるためにボルト・ナット等を用いる必要がなく、組み立ての際の部品点数を削減することができる。
【００３９】
また本体パネル14の裏面上において、窓ガラス12を本体パネル14と、上方ガラス押さえ部材24dおよび下方ガラス押さえ部材24eとの間で押さえることができる。このため接着剤25が剥離しても、本体パネル14の裏面から窓ガラス12が落下することはなく、安全な窓ガラス付きドアパネル10a,10bを得ることができる。
【００４０】
さらにまた、上方ガラス押さえ部材24dと、下方ガラス押さえ部材24eは、縦補強部材16a,16bを切り起こすことによりこの縦補強部材16a,16bと一体に形成されている。このため上方ガラス押さえ部材24dと下方ガラス押さえ部材24eを縦補強部材16a,16bと別体に設ける場合に比べて、上方ガラス押さえ部材24dと下方ガラス押さえ部材24eを簡単に作製することができる。
【００４１】
＜第３の実施の形態＞
次に図７を参照して、エレベータの窓ガラス付きドアパネルおよびその組み立て方法の第３の実施の形態について説明する。
【００４２】
図７に示す第３の実施の形態は一対の縦補強部材16a,16bに設けられたガラス押さえ部材24の構成が異なるのみであり、他の構成は図５Ａ乃至図６Ｄに示す第２の実施の形態と略同一である。図７に示す第３の実施の形態において、図５Ａ乃至図６Ｄに示す第２の実施の形態と同一部分には同一符号を付して詳細な説明は省略する。
【００４３】
図７において、本体パネル14の裏面に窓穴15を挟んで上下方向に延びるとともに鋼材からなる一対の縦補強部材16a,16bが設けられている。一対の縦補強部材16a,16bは横断面コ字形の鋼製型材からなり、本体パネル14の裏面に接着剤25を介して固定されている。
【００４４】
また各縦補強部材16a,16bに、窓ガラス12を本体パネル14との間で押さえるガラス押さえ部材24が設けられている。この場合、ガラス押さえ部材24は、上方ガラス押さえ部材24dと、下方ガラス押さえ部材24eとを有する。
【００４５】
上方ガラス押さえ部材24dおよび下方ガラス押さえ部材24eは、いずれも縦補強部材16a,16bを切り起こすことにより縦補強部材16a,16bと一体に形成されている。
【００４６】
また上方ガラス押さえ部材24dは窓ガラス12が接着剤25の剥離により落下する際、主としてその転倒を防止するものである。また下方ガラス押さえ部材24eは、窓ガラス12の下端を支持して窓ガラスの落下を防止するものである。また本体パネル14と上方ガラス押さえ部材24dおよび下方ガラス押さえ部材24eとの間に空間14Aが形成されている。そして窓ガラス12を上方ガラス押さえ部材24dと下方ガラス押さえ部材24eとの間から、本体パネル14と上方ガラス押さえ部材24dおよび下方ガラス押さえ部材24eとの間の空間14A内に挿入することが可能となっている。
【００４７】
ところで上方ガラス押さえ部材24dと下方ガラス押さえ部材24eは、図７に示すように、いずれも縦補強部材16a,16bを切り起こして縦補強部材16a,16bと一体に形成された押さえ片24Aからなる。
【００４８】
このうち下方ガラス押さえ部材24eは上方へ突出する第２突起26eを有する。さらに下方ガラス押さえ部材24eは窓ガラス12の下端と当接して窓ガラス12の上下方向の位置決めを行う上下方向基準面27aと、窓ガラス12の側面と当接して、窓ガラス12の左右方向の位置決めを行う左右方向基準面27bとを有する。
【００４９】
次にこのような構成からなるエレベータの窓ガラス付きドアパネル10a,10bの組み立て方法について述べる。本実施の形態における窓ガラス付きドアパネル10a,10bの組み立て方法は図６Ａ乃至図６Ｄに示す組み立て方法と略同一である。
【００５０】
まず図６Ａに示すように、予め接着剤25が塗布された窓ガラス12を準備する。次に接着剤25が塗布された窓ガラス12を上方ガラス押さえ部材24dと下方ガラス押さえ部材24eとの間から本体パネル14と上方ガラス押さえ部材24dおよび下方ガラス押さえ部材24eとの間の空間14A内に挿入する（図６Ｂ参照）。
【００５１】
その後、本体パネル14と上方ガラス押さえ部材24dおよび下方ガラス押さえ部材24eとの間の空間14A内で、窓ガラス12を降下させ、窓ガラス12を下方ガラス押さえ部材24ｄの上下方向基準面27a上に載せ、窓ガラス12を下方ガラス押さえ部材24eにより支持する。このようにして空間14A内において窓ガラス12の上下方向の位置決めを行い、さらに窓ガラス12を下方ガラス押さえ部材24eの左右方向基準面27bに当接させて、空間14A内において窓ガラス12の左右方向位置を定める。
【００５２】
このとき、窓ガラス12は本体パネル14の裏面において、窓穴15に対応する位置に配置される。その後窓ガラス12を本体パネル14の裏面に接着剤25を介して接着する。このようにして本体パネル14と、本体パネル14の裏面に接着された窓ガラス12と、窓ガラス12を本体パネル14との間で押さえる上方ガラス押さえ部材24dおよび下方ガラス押さえ部材24eとを有する窓ガラス付きドアパネル10a,10bを組み立てることができる。
【００５３】
以上のように本実施の形態によれば、本体パネル14の裏面に接着剤25を介して窓ガラス12を接着することができるため、本体パネル14の裏面に窓ガラス12を設けるためにボルト・ナット等を用いる必要がなく、組み立ての際の部品点数を削減することができる。
【００５４】
また本体パネル14の裏面上において、窓ガラス12を本体パネル14と、上方ガラス押さえ部材24dおよび下方ガラス押さえ部材24eとの間で押さえることができる。このため接着剤25が剥離しても、本体パネル14の裏面から窓ガラス12が落下することはなく、安全な窓ガラス付きドアパネル10a,10bを得ることができる。
【００５５】
さらにまた、上方ガラス押さえ部材24dと、下方ガラス押さえ部材24eは、縦補強部材16a,16bを切り起こすことによりこの縦補強部材16a,16bと一体に形成されている。このため上方ガラス押さえ部材24dと下方ガラス押さえ部材24eを縦補強部材16a,16bと別体に設ける場合に比べて、上方ガラス押さえ部材24dと下方ガラス押さえ部材24eを簡単に作製することができる。
【００５６】
さらにまた、窓ガラス12を下方ガラス押さえ部材24eの上下方向基準面27a上に当接させることにより、窓ガラス12の上下方向の位置決めを行い、窓ガラス12を下方ガラス押さえ部材24eの左右方向基準面27bに当接させることにより、窓ガラス12の左右方向の位置決めを行う。このことにより、窓ガラス12を本体パネル14の裏面において、窓穴15に対応する位置に精度良く配置させることができる。
【００５７】
＜第４の実施の形態＞
次に図８Ａおよび図８Ｂを参照して、エレベータの窓ガラス付きドアパネルおよびその組み立て方法の第４の実施の形態について説明する。
【００５８】
図８Ａおよび図８Ｂに示す第４の実施の形態は、一対の縦補強部材16a,16bに設けられたガラス押さえ部材24の構成が異なるのみであり、他の構成は図１Ａ乃至図４Ｄに示す第１の実施の形態と略同一である。図８Ａおよび図８Ｂに示す第４の実施の形態において、図１Ａ乃至図４Ｄに示す第１の実施の形態と同一部分には同一符号を付して詳細な説明は省略する。
【００５９】
図８Ａおよび図８Ｂにおいて、本体パネル14の裏面に窓穴15を狭んで設けられ上下方向に延びるとともに鋼材からなる一対の縦補強部材16a,16bが設けられている。一対の縦補強部材16a,16bは横断面コ字形の鋼製型材からなり、本体パネル14の裏面に接着剤25を介して固定されている。
【００６０】
また各縦補強部材16a,16bに、窓ガラス12を本体パネル14との間で押さえるガラス押さえ部材24が設けられている。この場合、ガラス押さえ部材24は、第１上方ガラス押さえ部材24aおよび第２上方ガラス押さえ部材24bとからなる上方ガラス押さえ部材24a,24bと、下方ガラス押さえ部材24cとを有する。
【００６１】
上方ガラス押さえ部材24a,24bおよび下方ガラス押さえ部材24cは、いずれも縦補強部材16a,16bを切り起こすことにより縦補強部材16a,16bと一体に形成されている。
【００６２】
また上方ガラス押さえ部材24a,24bは窓ガラス12が接着剤25の剥離により落下する際、主としてその転倒を防止するものである。また下方ガラス押さえ部材24cは、窓ガラス12の下端を支持して窓ガラスの落下を防止するものである。
【００６３】
またガラス押さえ部材24の第１上方ガラス押さえ部材24aと第２上方ガラス押さえ部材24bは、縦補強部材16a,16bを切り起こすことにより形成された押さえ片24Aからなり、いずれも弾性をもっている。
【００６４】
また第１上方ガラス押さえ部材24aと第２上方ガラス押さえ部材24bの押さえ片24Aは、外方へ向かって湾曲状に突出した湾曲状外面24A1を有する。そして第１上方ガラス押さえ部材24aと第２上方ガラス押さえ部材24bの押さえ片24Aは、外方から力が加わると縦補強部材16a,16b側へ引っ込むようになっている。
【００６５】
次にこのような構成からなるエレベータの窓ガラス付きドアパネル10a,10bの組み立て方法について述べる。
【００６６】
まず、予め接着剤25が塗布された窓ガラス12を準備する。次に接着剤25が塗布された窓ガラス12を本体パネル14の裏面に配置する。
【００６７】
次に窓ガラス12を本体パネル14側へ押し付ける。このとき、第１上方ガラス押さえ部材24aおよび第２上方ガラス押さえ部材24bの押さえ片24Aは湾曲状外面24A1を有するために、窓ガラス12は第１上方ガラス押さえ部材24aおよび第２上方ガラス押さえ部材24bを乗り越え、その後本体パネル14側へ達する。このとき第１上方ガラス押さえ部材24aと第２上方ガラス押さえ部材24bが外方へ突出するよう元に戻り、窓ガラス12は第１上方ガラス押さえ部材24aおよび第２上方ガラス押さえ部材24bと、本体パネル14との間で挟持される。
【００６８】
同時に窓ガラス12は下方ガラス押さえ部材24c上に載って、下方ガラス押さえ部材24cにより支持される。このようにして窓ガラス12の上下方向の位置決めを行う。同時に窓ガラス12の側縁を第１上方ガラス押さえ部材24aと第２上方ガラス押さえ部材24bとにより押さえ、窓ガラス12の側縁を本体パネル14と、第１上方ガラス押さえ部材24aおよび第２上方ガラス押さえ部材24bとの間で挟持する。
【００６９】
このとき、窓ガラス12は本体パネル14の裏面において、窓穴15に対応する位置に配置される。その後窓ガラス12を本体パネル14の裏面に接着剤25を介して接着する。このようにして本体パネル14と、本体パネル14の裏面に接着された窓ガラス12と、窓ガラス12を本体パネル14との間で押さえる上方ガラス押さえ部材24a,24bおよび下方ガラス押さえ部材24cとを有する窓ガラス付きドアパネル10a,10bを組み立てることができる。
【００７０】
以上のように本実施の形態によれば、本体パネル14の裏面に接着剤25を介して窓ガラス12を接着することができるため、本体パネル14の裏面に窓ガラス12を設けるためにボルト・ナット等を用いる必要がなく、組み立ての際の部品点数を削減することができる。
【００７１】
また本体パネル14の裏面上において、窓ガラス12を本体パネル14と、上方ガラス押さえ部材24a,24bおよび下方ガラス押さえ部材24cとの間で押さえることができる。このため接着剤25が剥離しても、本体パネル14の裏面から窓ガラス12が落下することはなく、安全な窓ガラス付きドアパネル10a,10bを得ることができる。
【００７２】
さらにまた、上方ガラス押さえ部材24a,24bと、下方ガラス押さえ部材24cは、縦補強部材16a,16bを切り起こすことによりこの縦補強部材16a,16bと一体に形成されている。このため上方ガラス押さえ部材24a,24bと下方ガラス押さえ部材24cを縦補強部材16a,16bと別体に設ける場合に比べて、上方ガラス押さえ部材24a,24bと下方ガラス押さえ部材24cを簡単に作製することができる。
【００７３】
さらにまた第１上方ガラス押さえ部材24aおよび第２上方ガラス押さえ部材24bの押さえ片24Aは弾性的に縦補強部材16a,16bに取り付けられている。このため窓ガラス12を本体パネル14側へ押し付けるだけで窓ガラス12は第１上方ガラス押さえ部材24aおよび第２上方ガラス押さえ部材24bを乗り越えて、本体パネル14と、第１上方ガラス押さえ部材24aおよび第２上方ガラス押さえ部材24bとの間で窓ガラス12を挟持することができる。このように、窓ガラス12を本体パネル14側へ押し付けるだけで、ワンタッチで本体パネル14の裏面に取り付けることができる。
【００７４】
＜第５の実施の形態＞
次に図９を参照して、エレベータの窓ガラス付きドアパネルおよびその組み立て方法の第５の実施の形態について説明する。
【００７５】
図９に示す第５の実施の形態は、一対の縦補強部材16a,16bに設けられたガラス押さえ部材24の構成が異なるのみであり、他の構成は図１Ａ乃至図４Ｄに示す第１の実施の形態と略同一である。図９に示す第５の実施の形態において、図１Ａ乃至図４Ｄに示す第１の実施の形態と同一部分には同一符号を付して詳細な説明は省略する。
【００７６】
図９において、本体パネル14の裏面に窓穴15を狭んで設けられ上下方向に延びるとともに鋼材からなる一対の縦補強部材16a,16bが設けられている。このうち一対の縦補強部材16a,16bは横断面コ字形の鋼製型材からなり、本体パネル14の裏面に接着剤25を介して固定されている。
【００７７】
また各縦補強部材16a,16bに、窓ガラス12を本体パネル14との間で押さえるガラス押さえ部材24が設けられている。この場合、ガラス押さえ部材24は、第１上方ガラス押さえ部材24aおよび第２上方ガラス押さえ部材24bとからなる上方ガラス押さえ部材24a,24bと、下方ガラス押さえ部材24cとを有する。
【００７８】
上方ガラス押さえ部材24a,24bおよび下方ガラス押さえ部材24cは、いずれも縦補強部材16a,16bを切り起こすことにより縦補強部材16a,16bと一体に形成された押さえ片24Aを有する。
【００７９】
また上方ガラス押さえ部材24a,24bは窓ガラス12が接着剤25の剥離により落下する際、主としてその転倒を防止するものである。また下方ガラス押さえ部材24cは、窓ガラス12の下端を支持して窓ガラスの落下を防止するものである。また上方ガラス押さえ部材24a,24bと本体パネル14と上方ガラス押さえ部材24a,24bとの間に空間14Aが形成されている。そして窓ガラス12を第１上方ガラス押さえ部材24aと第２上方ガラス押さえ部材24bとの間から、すなわち第１上方ガラス押さえ部材24aの下方と第２上方ガラス押さえ部材24bの上方の間から本体パネル14と第１上方ガラス押さえ２４ａおよび第２上方ガラス押さえ部材24bとの間の空間14A内に挿入することが可能となっている。
【００８０】
またガラス押さえ部材24のうち、下方ガラス押さえ部材24cは、縦補強部材16a,16bを切り起こすことにより縦補強部材16a,16bと一体に形成されている。そして下方ガラス押さえ部材24cの押さえ片24Aは窓ガラス付きドアパネルの組み立て時に、切り欠き30内に指を入れて縦補強部材16a,16bから引き出され、外方へ突出するようになっている。このように縦補強部材16a,16bから押さえ片24Aを引き出すことにより、縦補強部材16a,16bに開口３０ａが形成される。
【００８１】
なお、ガラス押さえ部材24のうち、下方ガラス押さえ部材24cに加えて、第１上方ガラス押さえ部材24aおよび第２上方ガラス押さえ部材24bも、下方ガラス押さえ部材24cと同様に縦補強部材16a,16bから引き出して構成することもできる。
【００８２】
次にこのような構成からなるエレベータの窓ガラス付きドアパネル10a,10bの組み立て方法について図４Ａ乃至図４Ｄにより述べる。
【００８３】
まず図４Ａに示すように、予め接着剤25が塗布された窓ガラス12を準備する。次に接着剤25が塗布された窓ガラス12を第１上方ガラス押さえ部材24aと第２上方ガラス押さえ部材24bとの間から本体パネル14と第１上方ガラス押さえ部材24aおよび第２上方ガラス押さえ部材24bとの間の空間14A内に挿入する（図４Ｂ参照）。
【００８４】
その後、本体パネル14と第１上方ガラス押さえ部材24aおよび第２上方ガラス押さえ部材24bとの間の空間14A内で、窓ガラス12を降下させ、窓ガラス12を下方ガラス押さえ部材24c上に載せ、窓ガラス12を下方ガラス押さえ部材24cにより支持する。このようにして空間14A内において窓ガラス12の上下方向の位置決めを行い、さらに空間14A内において窓ガラス12の左右方向位置を調整する。
【００８５】
このとき、窓ガラス12は本体パネル14の裏面において、窓穴15に対応する位置に配置される。その後窓ガラス12を本体パネル14の裏面に接着剤25を介して接着する。このようにして本体パネル14と、本体パネル14の裏面に接着された窓ガラス12と、窓ガラス12を本体パネル14との間で押さえる上方ガラス押さえ部材24a,24bおよび下方ガラス押さえ部材24cとを有する窓ガラス付きドアパネル10a,10bを組み立てることができる。
【００８６】
以上のように本実施の形態によれば、本体パネル14の裏面に接着剤25を介して窓ガラス12を接着することができるため、本体パネル14の裏面に窓ガラス12を設けるためにボルト・ナット等を用いる必要がなく、組み立ての際の部品点数を削減することができる。
【００８７】
また本体パネル14の裏面上において、窓ガラス12を本体パネル14と、上方ガラス押さえ部材24a,24bおよび下方ガラス押さえ部材24cとの間で押さえることができる。このため接着剤25が剥離しても、本体パネル14の裏面から窓ガラス12が落下することはなく、安全な窓ガラス付きドアパネル10a,10bを得ることができる。
【００８８】
さらにまた、上方ガラス押さえ部材24a,24bと、下方ガラス押さえ部材24cは、縦補強部材16a,16bを絞り加工することによりこの縦補強部材16a,16bと一体に形成されている。このため上方ガラス押さえ部材24a,24bと下方ガラス押さえ部材24cを縦補強部材16a,16bと別体に設ける場合に比べて、上方ガラス押さえ部材24a,24bと下方ガラス押さえ部材24cを簡単に作製することができる。
【００８９】
さらにまたガラス押さえ部材24のうち、とりわけ下方ガラス押さえ部材24cについては、切り欠き30内に指を入れて縦補強部材16a,16bから引き出すことだけで簡単かつ容易に作製することができる。
【００９０】
なお、上記の実施の形態（第１の実施の形態〜第５の実施の形態）に記載された内容は、単なる例示であって、発明の範囲はこれに限定されない。
【符号の説明】
【００９１】
10a,10b…ドアパネル、12…窓ガラス、14…本体パネル、14A…空間、15…窓穴、16a,16b…縦補強部材、24…ガラス押さえ部材、24A…押さえ片、24a…第１上方ガラス押さえ部材、24ｂ…第２上方ガラス押さえ部材、24ｃ…下方ガラス押さえ部材、24ｄ…上方ガラス押さえ部材、24ｅ…下方ガラス押さえ部材、25…接着剤、26d…第１突起、26e…第２突起
【図１Ａ】
2020193063.tif 000003
【図１Ｂ】
2020193063.tif 000004
【図２】
2020193063.tif 000005
【図３Ａ】
2020193063.tif 000006
【図３Ｂ】
2020193063.tif 000007
【図３Ｃ】
2020193063.tif 000008
【図４Ａ】
2020193063.tif 000009
【図４Ｂ】
2020193063.tif 000010
【図４Ｃ】
2020193063.tif 000011
【図４Ｄ】
2020193063.tif 000012
【図５Ａ】
2020193063.tif 000013
【図５Ｂ】
2020193063.tif 000014
【図６Ａ】
2020193063.tif 000015
【図６Ｂ】
2020193063.tif 000016
【図６Ｃ】
2020193063.tif 000017
【図６Ｄ】
2020193063.tif 000018
【図７】
2020193063.tif 000019
【図８Ａ】
2020193063.tif 000020
【図８Ｂ】
2020193063.tif 000021
【図９】
2020193063.tif 000022
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
窓穴を有する本体パネルと、
前記本体パネルの裏面に、前記窓穴に対応して配置され、前記本体パネルに接着剤を介して接着された窓ガラスと、
前記本体パネルの裏面に前記窓穴を狭んで設けられ、上下方向に延びる一対の縦補強部材とを備え、
各縦補強部材に、前記窓ガラスを前記本体パネルとの間で押さえるガラス押さえ部材を設け、
前記ガラス押さえ部材は前記窓ガラスを下方から支持する下方ガラス押さえ部材と、前記下方ガラス押さえ部材の上方に位置し前記窓ガラスの転倒を防ぐ上方ガラス押さえ部材とを有し、
前記上方ガラス押さえ部材は下方へ延びる第１突起を有し、前記下方ガラス押さえ部材は上方へ延びる第２突起を有し、前記第１突起の上下方向の長さは前記第２突起の上下方向の長さより長く、前記上方ガラス押さえ部材は前記本体パネルと前記上方ガラス押さえ部材との間に、前記窓ガラスを前記上方ガラス押さえ部材の下方から挿入可能な空間を形成する、エレベータの窓ガラス付きドアパネル。
【請求項２】
請求項１記載のエレベータの窓ガラス付きドアパネルの組み立て方法において、
前記接着剤が設けられた前記窓ガラスを準備する工程と、
前記窓ガラスを前記上方ガラス押さえ部材の上方または下方から、前記本体パネルと前記上方ガラス押さえ部材との間に挿入する工程と、
前記窓ガラスを前記下方ガラス押さえ部材に当接させて、前記下方ガラス押さえ部材により支持する工程と、
前記窓ガラスを前記本体パネルに前記接着剤を介して接着する工程と、を備えた、エレベータの窓ガラス付きドアパネルの組み立て方法。